(57)【要約】【課題】湯を使用している途中で給湯温度が変更されることを、より確実に禁止することができる給湯装置を提供する。【解決手段】複数のリモコン２１〜２４のうちのいずれかのロックスイッチが操作されたときに、リモコン２１〜２４をロック状態とし、該操作されたロックスイッチを有するリモコンのロック解除スイッチが操作されたときに、リモコン２１〜２４のロック状態を解除するロック制御部１１と、リモコン２１〜２４がロック状態であるときに、リモコン２１〜２４の表示部に所定のロック状態表示を行うロック状態報知部１２と、リモコン２１〜２４がロック状態でないときに、リモコン２１〜２４のうちのいずれかの優先スイッチが操作されたときに、該操作された優先スイッチを有するリモコンを優先状態とすると共に、他のリモコンを被優先状態とする優先制御部１３とを備える。【選択図】  図１
2013164181.tif 000002
【特許請求の範囲】
【請求項１】
給湯器と該給湯器を遠隔操作するための複数のリモコンとを備えた給湯装置であって、
前記各リモコンは、
前記給湯器の給湯温度を変更するための温度スイッチと、
自身を給湯温度の変更が可能な優先状態とすると共に、他のリモコンを給湯温度の変更が不能な被優先状態にするための優先スイッチと、
前記給湯器を、給湯運転が可能な運転状態と給湯運転が不能な休止状態とに切替えるための運転スイッチと、
前記複数のリモコンを、前記温度スイッチと前記優先スイッチと前記運転スイッチの操作の受付を禁止したロック状態とするためのロックスイッチと、
前記複数のリモコンの前記ロック状態を解除するためのロック解除スイッチと
を有し、
前記複数のリモコンのうちのいずれかの前記ロックスイッチが操作されたときに、前記複数のリモコンを前記ロック状態とし、該操作されたロックスイッチを有するリモコンの前記ロック解除スイッチが操作されたときに、前記複数のリモコンの前記ロック状態を解除するロック制御部と、
前記複数のリモコンが前記ロック状態でないときに、前記給湯器が前記運転状態であるときに前記複数のリモコンのいずれかの前記運転スイッチが操作されたときは、前記給湯器を前記休止状態とし、前記給湯器が前記休止状態であるときに前記複数のリモコンのいずれかの前記運転スイッチが操作されたときには、前記給湯器を前記運転状態とする運転制御部と、
前記複数のリモコンが前記ロック状態でないときに、前記複数のリモコンのうちのいずれかの前記優先スイッチが操作されたとき、及び前記複数のリモコンのいずれかの運転スイッチの操作に応じて、前記給湯器が前記休止状態から前記運転状態に切替わったときに、該操作がなされた優先スイッチ又は運転スイッチを有するリモコンを前記優先状態にすると共に、他のリモコンを前記被優先状態にする優先制御部と
を備えたことを特徴とする給湯装置。
【請求項２】
請求項１に記載の給湯装置において、
前記ロック制御部は、前記複数のリモコンが前記ロック状態であるときに、前記複数のリモコンのいずれかの前記ロック解除スイッチが操作されたときには、前記複数のリモコンの前記ロック状態を解除することを特徴とする給湯装置。
【請求項３】
請求項１又は請求項２に記載の給湯装置において、
前記ロック制御部は、前記優先状態であるリモコンの前記ロックスイッチが操作されたときに限定して、前記複数のリモコンを前記ロック状態にすることを特徴とする給湯装置。
【請求項４】
請求項１から請求項３のうちのいずれか１項に記載の給湯装置において、
前記複数のリモコンは報知部を有し、
前記複数のリモコンが前記ロック状態であるときに、前記複数のリモコンの前記報知部により前記ロック状態であることを報知するロック状態報知部を備えたことを特徴とする給湯装置。
【発明の詳細な説明】
【技術分野】
【０００１】
本発明は、給湯器と、給湯器を遠隔操作するための複数のリモコンを備えた給湯装置に関する。
【背景技術】
【０００２】
給湯器を、浴室と台所のように異なる場所に設置された複数のリモコンにより遠隔操作できるようにした給湯装置において、各リモコンに優先スイッチを設け、優先スイッチが操作されたリモコンに対してのみ、給湯温度の設定を許可するようにした構成が提案されている（例えば、特許文献１参照）。
【０００３】
各リモコンに優先スイッチを設けることにより、例えば、入浴中の使用者は、浴室に設けられたリモコン（浴室リモコン）の優先スイッチを操作して、浴室リモコンを給湯温度の設定が可能な優先リモコンにしておくことで、台所に設けられたリモコン（台所リモコン）等の他のリモコンにより給湯温度が高温に設定されることを回避することができる。
【０００４】
しかしながら、台所にいた他の使用者が、浴室で湯が使用されていることに気付かずに優先リモコンを浴室リモコンから台所リモコンに切り替えて、台所リモコンにより給湯温度を高温に設定したときには、浴室の給湯温度が高温に切替えられてしまう。そこで、特許文献１に記載された給湯装置においては、給湯停止中に限定して、優先リモコンの切替えを許可することにより、例えばシャワーが使用されている途中で給湯温度が変更されないようにしている。
【先行技術文献】
【特許文献】
【０００５】
【特許文献１】特開平７−２６０２５０号公報
【発明の概要】
【発明が解決しようとする課題】
【０００６】
特許文献１に記載された給湯装置において、入浴中の使用者がシャワーの使用を一旦停止したときに、他の使用者により優先リモコンが浴室リモコンから台所リモコンに切替えられて、台所リモコンにより給湯温度が高温に変更されたときには、入浴中の使用者がシャワーの使用を再開したときに高温の湯が出湯されて、使用者に不快感を与えてしまうという不都合がある。
【０００７】
本発明はかかる背景に鑑みてなされたものであり、湯を使用している途中で給湯温度が変更されることを、より確実に禁止することができる給湯装置を提供することを目的とする。
【課題を解決するための手段】
【０００８】
本発明は上記目的を達成するためになされたものであり、給湯器と該給湯器を遠隔操作するための複数のリモコンとを備えた給湯装置に関する。
【０００９】
そして、
給湯器と該給湯器を遠隔操作するための複数のリモコンとを備えた給湯装置であって、
前記各リモコンは、
前記給湯器の給湯温度を変更するための温度スイッチと、
自身を給湯温度の変更が可能な優先状態とすると共に、他のリモコンを給湯温度の変更が不能な被優先状態にするための優先スイッチと、
前記給湯器を、給湯運転が可能な運転状態と給湯運転が不能な休止状態とに切替えるための運転スイッチと、
前記複数のリモコンを、前記温度スイッチと前記優先スイッチと前記運転スイッチの操作の受付を禁止したロック状態とするためのロックスイッチと、
前記複数のリモコンの前記ロック状態を解除するためのロック解除スイッチと
を有し、
前記複数のリモコンのうちのいずれかの前記ロックスイッチが操作されたときに、前記複数のリモコンを前記ロック状態とし、該操作されたロックスイッチを有するリモコンの前記ロック解除スイッチが操作されたときに、前記複数のリモコンの前記ロック状態を解除するロック制御部と、
前記複数のリモコンが前記ロック状態でないときに、前記給湯器が前記運転状態であるときに前記複数のリモコンのいずれかの前記運転スイッチが操作されたときは、前記給湯器を前記休止状態とし、前記給湯器が前記休止状態であるときに前記複数のリモコンのいずれかの前記運転スイッチが操作されたときには、前記給湯器を前記運転状態とする運転制御部と、
前記複数のリモコンが前記ロック状態でないときに、前記複数のリモコンのうちのいずれかの前記優先スイッチが操作されたとき、及び前記複数のリモコンのいずれかの運転スイッチの操作に応じて、前記給湯器が前記休止状態から前記運転状態に切替わったときに、該操作がなされた優先スイッチ又は運転スイッチを有するリモコンを前記優先状態にすると共に、他のリモコンを前記被優先状態にする優先制御部とを備えたことを特徴とする（第１発明）。
【００１０】
第１発明によれば、前記給湯装置の使用者は、前記給湯器からの湯の使用場所（浴室、台所、洗面所等）に備えられた前記リモコンの前記ロックスイッチを操作することにより、前記複数のリモコンの前記温度スイッチと前記優先スイッチと前記運転スイッチの受付を禁止した前記ロック状態とすることができる。そして、前記複数のリモコンを前記ロック状態にすることにより、他の使用者による、（１）前記優先スイッチの操作により優先状態のリモコンを変更して、給湯温度を変更すること、及び（２）前記運転スイッチの操作により、前記給湯器を前記休止状態としてから前記運転状態に復帰させて優先状態のリモコンを変更して給湯運転を変更すること、を禁止することができる。そのため、湯を使用している途中で給湯温度が変更されることを、より確実に禁止することができる。
【００１１】
また、第１発明において、
前記ロック制御部は、前記複数のリモコンが前記ロック状態であるときに、前記複数のリモコンのいずれかの前記ロック解除スイッチが操作されたときには、前記複数のリモコンの前記ロック状態を解除することを特徴とする（第２発明）。
【００１２】
第２発明によれば、前記複数のリモコンのうちのいずれかの前記ロックスイッチを操作して、前記複数のリモコンをロック状態にした使用者が、前記ロック解除スイッチの操作によるロック状態の解除を忘れて他の場所に移動してしまったときに、移動先の場所に設けられた他のリモコンの前記ロック解除スイッチを操作して、前記複数のリモコンの前記ロック状態を解除することができる。
【００１３】
また、第１発明又は第２発明において、
前記ロック制御部は、前記優先状態であるリモコンの前記ロックスイッチが操作されたときに限定して、前記複数のリモコンを前記ロック状態にすることを特徴とする（第３発明）。
【００１４】
第３発明によれば、前記ロック状態への移行を、前記優先状態であるリモコンの前記ロックスイッチの操作に限定して行うことにより、使用者が優先状態であるリモコンの前記温度スイッチを操作して給湯温度を変更しているときに、他の使用者により他のリモコンの前記ロックスイッチが操作されて前記複数のリモコンがロック状態となり、給湯温度の変更が禁止されてしまうことを回避することができる。
【００１５】
また、第１発明から第３発明のうちのいずれかにおいて、
前記複数のリモコンは報知部を有し、
前記複数のリモコンが前記ロック状態であるときに、前記複数のリモコンの前記報知部により前記ロック状態であることを報知するロック状態報知部を備えたことを特徴とする（第４発明）。
【００１６】
第４発明によれば、前記ロック状態となっている前記複数のリモコンの前記報知部により、前記ロック状態であることの報知を行なうことによって、前記ロック状態とする操作を行った使用者とは別の使用者に対して、いずれかの使用者により給湯温度の変更が禁止されたことを認識させて、給湯温度の変更を待機させることができる。そのため、前記給湯器からの湯を使用している時に給湯温度が変更されることを、より確実に禁止することができる。
【図面の簡単な説明】
【００１７】
【図１】給湯装置の構成図。
【図２】図１に示したリモコンの外観図及び表示状態の説明図。
【図３】給湯コントローラの第１の作動フローチャート。
【図４】給湯コントローラの第２の作動フローチャート。
【発明を実施するための形態】
【００１８】
本発明の実施形態について、図１〜図４を参照して説明する。
【００１９】
図１を参照して、本実施形態の給湯装置は、図示しない給水管及び給湯管と接続されて、給水管から供給される水を加熱して給湯管に出湯する給湯器１と、給湯器１と通信ケーブル５により接続されて、給湯器１との通信により給湯器１を遠隔操作する複数のリモコン２１〜２４とを備えている。なお、給湯器１とリモコン２１〜２４間の通信を無線により行ってもよい。
【００２０】
リモコン２１は台所に設けられたメインリモコンであり、図示しないＣＰＵ、メモリ、通信回路等により構成されてリモコン２１の作動を制御するリモコンコントローラ２１ａを備えている。リモコンコントローラ２１ａは、メモリに保持されたリモコン２１の制御用プログラムをＣＰＵで実行することによって、リモコン２１の作動を制御する機能を実現する。
【００２１】
リモコン２２は浴室に設けられた浴室リモコンであり、リモコン２３，２４は洗面所等に設けられた増設リモコンである。リモコン２１〜２４の構成は同一であり、リモコン２２〜２４もリモコン２１と同様にリモコンコントローラ２２ａ〜２４ａを備えている。
【００２２】
各リモコン２１〜２４は、図２（ａ）に示したように、給湯設定温度等を表示する表示部３０、後述する給湯器１のバーナ燃焼中に点灯する燃焼ランプ３１、給湯設定温度を変更するためのＵＰスイッチ３２ａとＤＯＷＮスイッチ３２ｂからなる温度スイッチ３２、リモコン２１〜２４をロック状態とロック解除状態に切替えるためのロックスイッチ３３（本発明のロック解除スイッチの機能を含む）、リモコン２１〜２４のいずれかに給湯設定温度変更の優先権を付与するための優先スイッチ３４、優先権が付与された優先状態であるときに点灯する優先ランプ３５、及び給湯装置を給湯運転が可能な運転状態と給湯運転が不能な休止状態とに切替えるための運転スイッチ３６を備えている。
【００２３】
給湯器１は、給水管及び給湯管に接続された熱交換器（図示しない）と熱交換器を加熱するバーナ（図示しない）と、給湯器１の作動を制御する給湯コントローラ１０とを備え、給湯コントローラ１０は、給湯管から出湯される湯の温度（給湯温度）が給湯設定温度となるように、バーナの燃焼量を制御する給湯運転を実行する。
【００２４】
給湯コントローラ１０は、図示しないＣＰＵ、メモリ、通信回路等により構成された電子回路ユニットであり、メモリに保持された給湯装置の制御用プログラムを実行することによって、上記給湯運転を行なうと共に、ロック制御部１１、ロック状態報知部１２、優先制御部１３、及び運転制御部１４として機能する。
【００２５】
ロック制御部１１は、給湯装置が運転状態であるときに、リモコン２１〜２４のロックスイッチ３３の操作に応じて、リモコン２１〜２４をロック状態とロック解除状態に切替える。ロック状態においては、リモコン２１〜２４のロックスイッチ３３の操作（ロック解除操作）のみが受付けられ、他のスイッチ（温度スイッチ３２、優先スイッチ３４、運転スイッチ３６）の操作の受付けが禁止される。
【００２６】
ロック解除状態においては、リモコン２１〜２４のうちの優先権が付与された優先状態のリモコン（優先リモコン）では、全てのスイッチ（温度スイッチ３２、ロックスイッチ３３、優先スイッチ３４、運転スイッチ３６）の操作が受付けられる。また、優先権が付与されていない被優先状態のリモコン（被優先リモコン）では、温度スイッチ３２の操作の受付が禁止されて、温度スイッチ３２以外のスイッチ（ロックスイッチ３３、優先スイッチ３４、運転スイッチ３６）の操作が受付けられる。
【００２７】
ロック状態報知部１２は、リモコン２１〜２４がロック状態であるときに、各リモコン２１〜２４の表示部３０（本発明の報知部に相当する）を、各リモコン２１〜２４がロック状態であることを示す「ロック状態表示」とする。具体的には、図２（ｂ）に示したように、リモコン２１〜２４の表示部３０に、給湯設定温度（図では４１℃）の５秒表示とロック（図ではＬＯＣ）文字の１秒表示とを、交互に繰り返して表示する。
【００２８】
優先制御部１３は、給湯装置が運転状態であってリモコン２１〜２４がロック解除状態であるときに、リモコン２１〜２４の優先スイッチ３４が操作されたリモコンに優先権を付与して優先リモコンとする。優先リモコンにおいては、温度スイッチ３２による給湯設定温度の変更が許可され、被優先リモコンにおいては、温度スイッチ３２による給湯設定温度の変更が禁止される。また、優先制御部１３は、優先リモコンの優先ランプ３５を点灯状態にすると共に、被優先リモコンの優先ランプ３５を消灯状態にする。
【００２９】
運転制御部１４は、給湯装置が休止状態であるときにリモコン２１〜２４のいずれかの運転スイッチ３６が操作されたときは、給湯装置を運転状態に切替える。また、給湯装置が運転状態であってリモコン２１〜２４がロック解除状態であるときに、リモコン２１〜２４のいずれかの運転スイッチ３６が操作されたときには、運転制御部１４は、給湯装置を運転状態に切替える。なお、休止状態においては、リモコン２１〜２４のスイッチのうち、運転スイッチ３６の操作（運転状態への切替え操作）のみが可能である。
【００３０】
次に、図３〜４に示したフローチャートに従って、各リモコン２１〜２４のスイッチ操作に応じた給湯コントローラ１０の処理について説明する。
【００３１】
給湯コントローラ１０は、給湯装置に電源が供給されているときに図３〜図４のフローチャートによる処理を繰り返し実行する。図３のＳＴＥＰ１で、給湯コントローラ１０は、リモコンコントローラ２１ａ〜２４ａから送信されるスイッチの操作状態を示すスイッチ操作データ受信し、リモコン２１〜２４のいずれかでスイッチ操作があったか否かを判断する。
【００３２】
スイッチ操作があったときはＳＴＥＰ２に進み、給湯コントローラ１０は、給湯装置が運転状態であるか否かを判断する。そして、給湯装置が運転状態であったときはＳＴＥＰ３に進み、給湯装置が運転状態でなかったとき（休止状態であるとき）にはＳＴＥＰ１０に分岐する。
【００３３】
ＳＴＥＰ１０〜１１は運転制御部１４による処理である。運転制御部１４は、ＳＴＥＰ１０で、リモコン２１〜２４のいずれかの運転スイッチ３６が操作されたか否かを判断する。そして、運転スイッチ３６が操作されたときはＳＴＥＰ１１に進み、運転制御部１４は、給湯装置を運転状態に切替える。
【００３４】
また、運転制御部１４は、各リモコンコントローラ２１ａ〜２４ａに対して、運転状態に切替わったことを示す運転状態データを送信し、この運転状態データの受信に応じて、各リモコンコントローラ２１ａ〜２４ａは、表示部３０の表示を運転状態に応じたもの（給湯設定温度の表示等）にする。
【００３５】
次のＳＴＥＰ１２は優先制御部１３による処理である。優先制御部１３は、運転スイッチ３６が操作されたリモコンに優先権を付与して優先リモコンとする。例えば、リモコン２１（台所リモコン）の運転スイッチ３６が操作されたときは、リモコン２１が優先リモコンとなると共に、他のリモコン２２〜２４が被優先リモコンとなる。そして、ＳＴＥＰ６に進み、給湯コントローラ１０は処理の１サイクルを終了する。
【００３６】
一方、ＳＴＥＰ１０で、リモコン２１〜２４の運転スイッチ３６がいずれも操作されなかったときにはＳＴＥＰ６に進み、給湯コントローラ１０は処理の１サイクルを終了する。
【００３７】
ＳＴＥＰ２に続くＳＴＥＰ３で、給湯コントローラ１０は、リモコン２１〜２４がロック状態であるか否かを判断する。そして、リモコン２１〜２４がロック状態であるときはＳＴＥＰ２０に分岐し、リモコン２１〜２４がロック状態でないとき（ロック解除状態であるとき）にはＳＴＥＰ４に進む。
【００３８】
ＳＴＥＰ２０〜ＳＴＥＰ２１はロック制御部１１による処理である。ロック制御部１１は、ＳＴＥＰ２０でリモコン２１〜２４のいずれかのロックスイッチ３３が操作されたか否かを判断する。そして、ロックスイッチ３３が操作されたときはＳＴＥＰ２１に進み、ロック制御部１１は、リモコン２１〜２４のロック状態を解除する。
【００３９】
ロック状態の解除により、各リモコン２１〜２４での優先スイッチ３４と運転スイッチ３６の操作が受付けられるようになる。また、優先リモコンにおいては、さらに、温度スイッチ３２による操作が受付けられるようになって、給湯設定温度の変更が可能になる。
【００４０】
このように、リモコン２１〜２４のいずれかのロックスイッチ３３の操作によって、リモコン２１〜２４のロック状態を解除することにより、例えば、入浴時にリモコン２２（浴室リモコン）のロックスイッチ３３を操作してリモコン２１〜２４をロック状態にした使用者が、ロック状態の解除を忘れて浴室から台所に移動したときに、リモコン２１（台所リモコン）のロックスイッチ３３を操作してリモコン２１〜２４のロック状態を解除することができるため、使用者の使い勝手を向上させることができる。
【００４１】
続くＳＴＥＰ２２はロック状態報知部１２による処理である。ロック状態報知部１２は、表示部３０に給湯設定温度を常時表示する「通常表示」への切替え指示を示す通常表示切替データをリモコンコントローラ２１ａ〜２４ａに送信する。この通常表示切替データの受信に応じて、リモコンコントローラ２１ａ〜２４ａは、対応するリモコンの表示部３０を上記「ロック状態表示」から「通常表示」に切替える。
【００４２】
一方、ＳＴＥＰ２０で、リモコン２１〜２４のいずれのロックスイッチ３３も操作されていないときにはＳＴＥＰ６に進み、給湯コントローラ１０は、処理の１サイクルを終了する。これにより、ロック状態では、ロックスイッチ３３の操作のみを受け付けるようにしている。
【００４３】
ＳＴＥＰ３に続くＳＴＥＰ４〜ＳＴＥＰ５は、運転制御部１４による処理である。運転制御部１４は、ＳＴＥＰ４でリモコン２１〜２４のいずれかの運転スイッチ３６が操作されたか否かを判断する。そして、運転スイッチ３６が操作されたときはＳＴＥＰ５に進み、運転制御部１４は、給湯装置を休止状態に切替える。
【００４４】
また、運転制御部１４は、リモコンコントローラ２１ａ〜２４ａに対して、休止状態に切替えたことを示す休止状態データを送信し、この休止状態データの受信に応じて、各リモコンコントローラ２１ａ〜２４ａは、対応するリモコンの表示部３０を消灯する。一方、ＳＴＥＰ４で、リモコン２１〜２４の運転スイッチ３６のいずれも操作されていないときには、図４のＳＴＥＰ３０に分岐する。
【００４５】
ＳＴＥＰ３０及びＳＴＥＰ３０から分岐したＳＴＥＰ４０は、優先制御部１３による処理である。優先制御部１３は、ＳＴＥＰ３０でリモコン２１〜２４の優先スイッチ３４のいずれかが操作されたか否かを判断する。そして、優先スイッチ３４が操作されたときはＳＴＥＰ４０に分岐し、優先制御部１３は、優先スイッチ３４が操作されたリモコンを優先リモコンとする（優先リモコンの変更）。
【００４６】
また、優先制御部１３は、リモコンコントローラ２１ａ〜２４ａに対して、優先リモコンの変更を示す優先変更データを送信し、この優先変更データを受信したリモコンコントローラ２１ａ〜２４ａは、対応するリモコンが優先リモコンであるときは優先ランプ３５を点灯し、対応するリモコンが被優先リモコンであるときには優先ランプ３５を消灯する。そして、図３のＳＴＥＰ６に進み、給湯コントローラ１０は処理の１サイクルを終了する。一方、ＳＴＥＰ３０で優先スイッチ３４が操作されなかったときには、ＳＴＥＰ３１に進む。
【００４７】
ＳＴＥＰ３１〜ＳＴＥＰ３２及びＳＴＥＰ３２から分岐したＳＴＥＰ５０は、ロック制御部１１による処理である。ロック制御部１１は、ＳＴＥＰ３１で優先リモコンのスイッチが操作されたか否かを判断する。そして、優先リモコンのスイッチが操作されたときはＳＴＥＰ３２に進み、優先リモコンのスイッチが操作されなかったときには、図３のＳＴＥＰ６に分岐して処理を終了する。
【００４８】
ＳＴＥＰ３２で、ロック制御部１１は、優先リモコンのロックスイッチ３３が操作されたか否かを判断する。そして、優先リモコンのロックスイッチ３３が操作されたときはＳＴＥＰ５０に分岐し、ロック制御部１１は、リモコン２１〜２４をロック状態に切替えて、ロックスイッチ３３以外のスイッチ（温度スイッチ３２、優先スイッチ３４、運転スイッチ３６）の操作の受付を禁止する。
【００４９】
続くＳＴＥＰ５１はロック状態報知部１２による処理である。ロック状態報知部１２は、リモコンコントローラ２１ａ〜２４ａに、上記「ロック状態表示」への切替え指示を示すロック状態表示切替データをリモコンコントローラ２１ａ〜２４ａに送信する。このロック状態表示切替データの受信に応じて、リモコンコントローラ２１ａ〜２４ａは、対応するリモコンの表示部３０を上記「ロック状態表示」とする。この「ロック状態表示時」により、使用者に対して、リモコン２１〜２４がロック状態になっていることを認識させる。そして、図３のＳＴＥＰ６に進み、給湯コントローラ１０は処理の１サイクルを終了する。
【００５０】
一方、ＳＴＥＰ３２でロックスイッチ３３が操作されなかったときにはＳＴＥＰ３３に進み、給湯コントローラ１０は、優先リモコンの温度スイッチ３２が操作されたか否かを判断する。
【００５１】
そして、優先リモコンの温度スイッチ３２が操作されたときはＳＴＥＰ６０に分岐し、給湯コントローラ１０は、温度スイッチ３２の操作に応じて給湯設定温度を変更し、各リモコンコントローラ２１ａ〜２４ａに対して、変更された給湯設定温度を示す給湯設定温度データを送信する。
【００５２】
この給湯設定温度データを受信したリモコンコントローラ２１ａ〜２４ａは、対応するリモコン２１〜２４の表示部３０に、変更後の給湯設定温度を表示する。そして、図３のＳＴＥＰ６に分岐し、給湯コントローラ１０は処理の１サイクルを終了する。
【００５３】
一方、ＳＴＥＰ３３で優先リモコンの温度スイッチ３２が操作されなかったときには、図３のＳＴＥＰ６に進み、給湯コントローラ１０は処理の１サイクルを終了する。
【００５４】
なお、本実施形態においては、図３のＳＴＥＰ２０〜ＳＴＥＰ２１の処理により、リモコン２１〜２４がロック状態にあるときに、リモコン２１〜２４のうちのいずれかのロックスイッチ３３が操作されたときにロック状態を解除したが、ロック状態への切り替え操作がなされたロックスイッチ３３が操作されたときに限定して、ロック状態を解除するようにしてもよい。
【００５５】
また、本実施形態においては、図４のＳＴＥＰ３２及びＳＴＥＰ５０の処理により、優先リモコンのロックスイッチ３３が操作されたときに限定して、リモコン２１〜２４をロック状態としたが、リモコン２１〜２４のいずれかのロックスイッチが操作されたときに、リモコン２１〜２４をロック状態とするようにしてもよい。
【００５６】
また、本実施形態においては、各リモコン２１〜２４に運転スイッチ３６を備えた例を示したが、各リモコン２１〜２４に運転スイッチを備えない場合であっても、本発明の効果を得ることができる。
【００５７】
また、本実施形態においては、リモコン２１〜２４がロック状態であるときに、ロック状態報知部１２により、リモコン２１〜２４の表示部３０を「ロック状態表示」（図２（ｂ）参照）としたが、「ロック状態表示」を行わない場合であっても本発明の効果を得ることができる。
【００５８】
また、リモコン２１〜２４にブザー音や音声を出力する音出力回路とスピーカ（本発明の報知部に相当する）を設けて、「ロック状態表示」に代えて、或いは「ロック状態表示」と共に、リモコン２１〜２４がロック状態であることを報知する「ロック報知音」を出力するようにしてもよい。
【００５９】
また、本実施形態においては、ロック制御部１１、ロック状態報知部１２、優先制御部１３、及び運転制御部１４を、給湯器１の給湯コントローラ１０により構成したが、これらの全部又は一部を、リモコン２１〜２４のいずれかに備えてもよく、また、給湯器１及びリモコン２１〜２４とは別のユニットにより構成してもよい。
【００６０】
また、本実施形態においては、給湯装置が休止状態であるときには、リモコン２１〜２４の運転スイッチ３６のみの操作を受け付けて他のスイッチの操作は受け付けないようにしたが（図３のＳＴＥＰ２及びＳＴＥＰ１０）、給湯装置が休止状態であるときにもロックスイッチ３３の操作を受け付けるようにして、休止状態におけるリモコン２１〜２４のロック状態とロック解除状態の切換を可能にしてもよい。
【００６１】
また、本実施形態では、ロックスイッチ３３の操作により、リモコン２１〜２４をロック状態とロック解除状態とに切替える構成としたが、リモコン２１〜２４をロック状態にするためのロックスイッチと、リモコン２１〜２４をロック解除状態にするためのロック解除スイッチを別個に設けてもよい。
【００６２】
また、リモコン２１〜２４のロック状態の解除を、リモコン２１〜２４の特定のスイッチの特殊操作（長押し操作、複数スイッチの同時操作等）によって、行うようにしてもよい。
【符号の説明】
【００６３】
１…給湯器、５…通信ケーブル、１０…給湯コントローラ、１１…ロック制御部、１２…ロック状態報知部、１３…優先制御部、１４…運転制御部、２１〜２４…リモコン、２１ａ〜２４ａ…リモコンコントローラ、３０…表示部、３１…燃焼ランプ、３２…温度スイッチ、３３…ロックスイッチ、３４…優先スイッチ、３５…優先ランプ、３６…運転スイッチ。
【図１】
2013164181.tif 000003
【図２】
2013164181.tif 000004
【図３】
2013164181.tif 000005
【図４】
2013164181.tif 000006